(57)【要約】      （修正有）【課題】アザーテレビでサブテレビが受信できる番組や画面を規制できる分岐画像出力を備えるサーボテレビ装置を提供する。【解決手段】  本考案の分岐画像出力を備えるサーボテレビ装置は、マザーテレビを影像・音声放送装置に接続することで、この影像・音声放送装置から出力される少なくとも一つの影像・音声信号を受信する。また、二重通信モードを介して少なくとも一つのサブテレビに接続する。よって、ユーザはこのマザーテレビをコントロールして、サブテレビに出力される影像・音声信号を規定し選択することで、サブテレビにおいてマザーテレビでセットされた影像・音声信号により視聴でき、これらのサブテレビとマザーテレビで番組或は画面を視聴出来るようになり、また、マザーテレビでサブテレビが受信できる番組や画面を規制できる。【選択図】図４
0003108305.tif 000002
【実用新案登録請求の範囲】
【請求項１】
影像・音声放送装置に接続され、この影像・音声放送装置から出力される一つの影像・音声信号を受信するマザーテレビと、
少なくとも一台のサブテレビと、
マザーテレビとサブテレビに接続され、マザーテレビとサブテレビの影像・音声信号伝送経路を確保するための通信インターフェースとを備え、
マザーテレビをコントロールして、サブテレビに出力される影像・音声信号を規定し選択することにより、サブテレビにおいてそれらのセットされた影像・音声信号により視聴できるようにすることを特徴とする、
分岐画像出力を備えるサーボテレビ装置。
【請求項２】
前記マザーテレビは
影像・音声放送装置に接続され、この影像・音声信号を取得し処理する影像・音声処理モジュールと、
影像・音声処理モジュールに接続され、処理された影像・音声信号を受信し、かつこの処理された影像・音声信号の解像度を調整するマザー端解像度調整ユニットと、
マザー端解像度調整ユニットに接続され、この影像・音声信号により表示をするマザー端表示ユニットと、
影像・音声処理モジュールと通信インターフェースに接続され、影像・音声信号を受信し、かつ制御操作によりその影像・音声信号をセットしながら選んで出力する少なくとも一つの後端マルチ信号コンバーターと、
夫々後端マルチ信号コンバーターと通信インターフェースに対応して接続され、それらの影像・音声信号を受信しデコーディングする少なくとも一つの信号デコーダーと、
信号デコーダーに接続され、デコーディングされた影像・音声信号を受信し、それらの影像・音声信号の経路をセットしながら選んで出力し、通信インターフェースを介してサブテレビに伝送する重複マルチ信号コンバーターとを含むことを特徴とする、
請求項１記載の分岐画像出力を備えるサーボテレビ装置。
【請求項３】
前記影像・音声処理モジュールは
影像・音声放送装置とマザー端影像・音声信号コントローラに接続され、マザー端影像・音声信号コントローラにより制御され、影像・音声信号の変換出力をセットして選び、その影像・音声信号を規定しながら選択し、後端マルチ信号コンバーターに出力する前端マルチ信号コンバーターと、
前端マルチ信号コンバーターに接続され、影像・音声信号の輝度や色信号を分離することによって、影像・音声信号から生じた雑音を改善する櫛形フィルタと、
櫛形フィルタとマザー端解像度調整ユニットに接続され、影像・音声信号をデコーディングし、デコーディングされた影像・音声信号をマザー端解像度調整ユニットに出力する映像デコーダーとを含むことを特徴とする、
請求項２記載の分岐画像出力を備えるサーボテレビ装置。
【請求項４】
サブテレビは
通信インターフェースに接続され、規定された影像・音声信号を取得し処理するサブ端影像・音声処理ユニットと、
それらの影像・音声信号をデコーディングする信号デコーダーと、
信号デコーダーに接続され、処理された影像・音声信号の解像度を調整するサブ端解像度調整ユニットと、
サブ端解像度調整ユニットに接続され、この影像・音声信号により表示をするサブ端表示ユニットと、
サブ端影像・音声処理ユニットに接続され、サブ端制御信号を出力して、通信インターフェースに介してマザーテレビ内の対応する後端マルチ信号コンバーターに伝送し、規定されたそれらの影像・音声信号に対する選択をコントロールするサブ端影像・音声信号コントローラとを含むことを特徴とする、
請求項１記載の分岐画像出力を備えるサーボテレビ装置。
【請求項５】
前記通信インターフェースは無線伝送インターフェースであることを特徴とする、
請求項１記載の分岐画像出力を備えるサーボテレビ装置。
【請求項６】
前記通信インターフェースはケーブル伝送インターフェースであることを特徴とする、
請求項１記載の分岐画像出力を備えるサーボテレビ装置。
【考案の詳細な説明】
【技術分野】
【０００１】
本考案は、分岐画像出力（延出）を備えるサーボテレビ装置であって、とくに、マザーテレビが二重通信モードを介して少なくとも一つのサブテレビに接続されることで、マザーテレビとサブテレビで番組を受信出来るようになり、また、マザーテレビはサブテレビが受信できる番組や画面を規制できるサーボテレビ装置に関わるものである。
【背景技術】
【０００２】
図１は、従来のサブ・マザー画面機能を持つテレビを示す図である。テレビ１の発展は早期のモノクロ画像出力型からカラー画像へと進歩してきた。画像出力品質も低い走査密度から超高走査密度へと発展しつつある。加えて、デジタル電子技術の急速な発展の追い風に乗って、最新型のテレビは伝統的なテレビが単一画面出力機能しかない状態から突破出来るようになり、一台のテレビで二台のサブ・マザー画面を同時に受信できるような新しい機能の時代に入り、また、テレビには他の影像・音声装置が出力する影像・音声信号を併せて受信できるようになり、従来のテレビが達成できなかった映像編集機能を提供し、一機多元化の局面を迎えた。
【０００３】
図２は、従来のテレビの内部回路を示すブロック図である。テレビ１は影像・音声処理モジュール１４を外部の影像・音声装置（図に示さず）に接続することで、影像・音声信号を取得する。それと同時に、影像・音声処理モジュール１４に接続される影像・音声信号コントローラ１２は、影像・音声処理モジュール１４をコントロールし影像・音声信号を処理する。処理された影像・音声信号は、影像・音声処理モジュール１４に接続される解像度調整ユニット１６を介して表示ユニット１８に出力され表示される。前記では、影像・音声処理モジュール１４はマルチ信号コンバーターを用い、影像・音声信号を選択する変換出力をセットする。また、櫛形フィルタでそれらの影像・音声信号の輝度や色信号を分離することによって、影像・音声信号から生じた雑音を改善する。さらに、映像デコーダーにより影像・音声信号をデコーディングし、デコーディングされた影像・音声信号を解像度調整ユニット１６に出力する。
【考案の開示】
【考案が解決しようとする課題】
【０００４】
現在、テレビはごく普通の家電製品となり、テレビ番組の多様化やリアルタイムの報道などによって、人々は常にテレビの前から離れられなく、生活に欠かせない存在になった。また、人々の要望に合わせる為、テレビ番組の内容は暴力や恐怖やＡＶのような番組が多く、これらの番組内容は考えが未成熟の未成年の子供たちに多大な影響を与え、彼らの行為を好ましくない方向に偏らせ様々な少年犯罪事件を誘発することになる。そのため、現在のテレビ放送の関連法令はテレビ番組の分級制度が規定されることによって、児童及び少年たちの身心の健康を保護するとともに、社会群衆の視聴権利やＴＶ従業員の創作空間を併せて確保する。
【０００５】
しかしながら、テレビ番組の制作部門は番組を普通、保護、補導及び制限のような四級に分けて、さらに時間帯に合わせて区別させ、所定の時間帯に適当なレベルの番組を放送するが、児童及び少年たちが暴力や恐怖やＡＶのような制限級の番組を見ることを有効に阻止することはできなかった。そのため、テレビ番組の制作部門は制限級の番組をインコーディングするとともに、ユーザ端末装置にデコーダーを設置することでそれらの制限級の番組が視聴できるようになるが、このような方式は、デコーダーを容易に手に入れることができ、かつ、ある特定の番組だけインコーディングでき、他の暴力や恐怖やＡＶのような番組を有効に視聴禁止できない為、制限級の番組をインコーディングしても、児童及び少年たちが暴力や恐怖やＡＶのような制限級の番組を見ることを有効に禁止することは到底できなかった。
【０００６】
そこで、前記事情を鑑み、本考案の主な目的は、マザーテレビを二重通信モードを介して少なくとも一つのサブテレビに接続することで、マザーテレビとサブテレビで番組を受信出来るようになり、また、マザーテレビでサブテレビが受信できる番組や画面を規制できる分岐画像出力を備えるサーボテレビ装置を提供することにある。
【課題を解決するための手段】
【０００７】
前記目的を達成する為、本考案は、マザーテレビを影像・音声放送装置に接続することで、この影像・音声放送装置から出力される少なくとも一つの影像・音声信号を受信する分岐画像出力を備えるサーボテレビ装置を提供する。また、このマザーテレビは通信インターフェースを介してサブテレビと接続する。よって、ユーザはこのマザーテレビをコントロールして、サブテレビに出力される影像・音声信号を規定し選ぶことで、サブテレビにおいてマザーテレビでセットされた影像・音声信号により視聴できる。
【０００８】
本考案の特徴及び技術内容を更に理解するため、以下の本考案に係わる詳細な説明及び添付図面を参考にできるが、添付図面は参考及び説明用だけに提供され、本考案を限定するものではない。
【考案を実施するための最良の形態】
【０００９】
図３は、本考案のサーボテレビ装置の接続を示す図である。本考案の分岐画像出力（機能）を備えるサーボテレビ装置２は、マザーテレビ２０が二重通信である通信インターフェース２４を介して少なくとも一つ（図３の例では複数）のサブテレビ２２に接続されることで、マザーテレビ２０とサブテレビ２２とで番組を受信出来る。このマザーテレビ２０はコントローラＡを用いてマザーテレビ２０を制御することができるとともに、夫々のサブテレビ２２が受信できる番組や画面を規制することができる。また、コントローラＢはサブテレビ２２をコントロールしマザーテレビ２０からのテレビ番組や画面を視聴できる。
【００１０】
図４は、本考案の一対一のサーボテレビ装置の内部回路を示すブロック図である。図４に示すように、本考案はマザーテレビ２０とサブテレビ２２と通信インターフェース２４とを含む。また、マザーテレビ２０は、影像・音声処理モジュール２０４を介して外部の影像・音声放送装置３に接続され、この影像・音声放送装置３から出力される一つの影像・音声信号を受信する。影像・音声放送装置３はDigital Versatile Disk Player(DVD Player)やVideoCassette Recorder Player（VCR Player）である。影像・音声処理モジュール２０４は、影像・音声放送装置３とマザー端影像・音声信号コントローラ２０２に接続される前端マルチ信号コンバーター（図に示さず）を備え、前端マルチ信号コンバーターはマザー端影像・音声信号コントローラ２０２により制御され、その影像・音声信号をセットしながら選んで変換してからマザー端解像度調整ユニット２０６に出力するほか、その影像・音声信号を規定し選択して、後端マルチ信号コンバーター２０８に出力する。影像・音声処理モジュール２０４は、同時に、前端マルチ信号コンバーターに接続される櫛形フィルタ（図に示さず）を備え、影像・音声信号の輝度や色信号を分離することによって、影像・音声信号から生じた雑音を改善する。影像・音声処理モジュール２０４は、さらに、櫛形フィルタとマザー端解像度調整ユニットに接続される映像デコーダー（図に示さず）を備え、それらの影像・音声信号をデコーディングし、デコーディングされた影像・音声信号をマザー端解像度調整ユニット２０６に出力する。マザー端解像度調整ユニット２０６は処理された影像・音声信号を受信し、影像・音声信号の解像度を調整する。これにより、その影像・音声信号の内容情報がマザー端表示ユニットによって示される。
【００１１】
再び図４を参照すると、後端マルチ信号コンバーター２０８は、前端マルチ信号コンバーターから規定し選択される影像・音声信号を受信し、後端マルチ信号コンバーター２０８に接続される信号デコーダー２０９に出力され、そこでその影像・音声信号がデコーディングされる。デコーディングされた影像・音声信号は通信インターフェース２４を介してサブテレビ２２に伝送される。以上の説明では、通信インターフェース２４は無線伝送インターフェースであり、例えば、ＷＬＡＮ或いはケーブル伝送インターフェース、ＬＡＮ、ＨＯＭＥＰＬＵＧなどである。
【００１２】
再び図４を参照すると、サブテレビ２２はサブ端影像・音声処理ユニット２２０を介して通信インターフェース２４に接続され、影像・音声信号を受信する。処理された影像・音声信号は信号デコーダー２２４に出力され、そこでその影像・音声信号がデコーディングされる。デコーディングされた影像・音声信号はこの信号デコーダーに接続するサブ端解像度調整ユニット２２６に伝送され、サブ端解像度調整ユニット２２６は影像・音声信号の解像度に対して調整を行い、調整された影像・音声信号は、サブ端表示ユニット２２８によりその内容情報が示される。さらに、サブ端影像・音声処理ユニット２２０に接続するサブ端影像・音声信号コントローラ２２２を備え、これは、サブ端制御信号を出力して、通信インターフェース２４に介してマザーテレビ２０内の後端マルチ信号コンバーター２０８に伝送し、規定されたそれらの影像・音声信号に対する選択をコントロールする。
【００１３】
図５は、本考案の一対多のサーボテレビ装置の内部回路を示すブロック図である。図４に併せて図５を参照すると、本考案の一対多のサーボテレビ装置と図４に示される一対一のサーボテレビ装置とは、一対多のサーボテレビ装置がマザーテレビの中に、少なくとも一つの後端マルチ信号コンバーター２０８と少なくとも一つの信号デコーダー２０９を用いるとともに、これらの信号デコーダー２０９が重複マルチ信号コンバーター２０７を介して通信インターフェース２４に接続され、これらの後端マルチ信号コンバーター２０８が通信インターフェース２４に接続される点で異なる。また、一対多のサーボテレビ装置は少なくとも一台のサブテレビ２２と使用され、通信インターフェース２４を介してマザーテレビ２０に接続される。以上の説明では、重複マルチ信号コンバーター２０７は信号デコーダー２０９に接続され、デコーディングされた影像・音声信号を受信し、これらの影像・音声信号出力の経路選択をセットし、通信インターフェース２４を介して夫々のサブテレビ２２に伝送する。これより、それらのサブテレビ２２によって同時に番組或は画面が視聴出来るようになる。
【００１４】
再び図５を参照すると、それらのサブテレビ２２は、サブ端影像・音声信号コントローラ２２２よりサブ端制御信号を出力し、通信インターフェース２４を介してマザーテレビ２０内の対応する後端マルチ信号コンバーター２０８に伝送し、規定されたそれらの影像・音声信号に対する選択をコントロールする。このように、サブテレビ２２は、マザーテレビ２０に選択、規定され伝送された番組或は画面を視聴出来る。また、マザーテレビ２０はマザー端影像・音声信号コントローラ２０２の制御より、影像・音声信号選択をセットし変換してマザー端解像度調整ユニット２０６に出力するほか、夫々の影像・音声信号を規定的に選択し、後端マルチ信号コンバーター２０８に伝送する。同時に、本考案はマザーテレビ２０から影像・音声信号分岐画像をこれらのサブテレビ２２に出力するので、これらのサブテレビ２２でマザーテレビ２０とともに番組或は画面を視聴出来るようになる。
【００１５】
上記のように、本考案の分岐画像出力（機能）を備えるサーボテレビ装置は、マザーテレビを影像・音声放送装置に接続することで、この影像・音声放送装置から出力される少なくとも一つの影像・音声信号を受信する。また、二重通信モードを介して少なくとも一つのサブテレビを接続する。よって、ユーザはマザーテレビをコントロールして、サブテレビに出力される影像・音声信号を規定し選択することで、サブテレビにおいてマザーテレビでセットされた影像・音声信号により視聴でき、これらのサブテレビとマザーテレビで番組或は画面を視聴出来るようになるとともに、マザーテレビでサブテレビが受信できる番組や画面を規制できる。
【００１６】
前記に開示されたそれぞれの具体的な構成は、単に本考案の好ましい実施例に過ぎなく、本考案の特徴を限定するものではなく、いずれの当該分野における通常の知識を有する専門家が本考案の分野の中で、適当に変更や修飾などを実施できるが、それらの実施が本考案の主張範囲内に入るべきことは言うまでもないことである。
【図面の簡単な説明】
【００１７】
【図１】従来のサブ・マザー画面機能を持つテレビを示す図である。
【図２】従来のテレビの内部回路を示すブロック図である。
【図３】本考案のサーボテレビ装置の接続を示す図である。
【図４】本考案の一対一のサーボテレビ装置の内部回路を示すブロック図である。
【図５】本考案の一対多のサーボテレビ装置の内部回路を示すブロック図である。
【符号の説明】
【００１８】
１  テレビ
２  サーボテレビ装置
３  影像・音声放送装置
１２  影像・音声信号コントローラ
１４  影像・音声処理モジュール
１６  解像度調整ユニット
１８  表示ユニット
２０  マザーテレビ
２２  サブテレビ
２４  通信インターフェース
２０２  マザー端影像・音声信号コントローラ
２０４  影像・音声処理モジュール
２０５  マザー端表示ユニット
２０６  マザー端解像度調整ユニット
２０７  重複マルチ信号コンバーター
２０８  後端マルチ信号コンバーター
２０９  信号デコーダー
２２０  サブ端影像・音声処理ユニット
２２２  サブ端影像・音声信号コントローラ
２２４  信号デコーダー
２２６  サブ端解像度調整ユニット
２２８  サブ端表示ユニット
Ａ  コントローラ
Ｂ  コントローラ
【図１】
0003108305.tif 000003
【図２】
0003108305.tif 000004
【図３】
0003108305.tif 000005
【図４】
0003108305.tif 000006
【図５】
0003108305.tif 000007